(57)【特許請求の範囲】
【請求項１】
下端を固定し、横方向に所定の間隔をあけて複数の柱材を立設してなるスリットスクリーン型外構用の梱包治具であって、
前記所定の間隔をあけて貫通形成され、前記複数の柱材を挿通して保持するための複数の柱材挿通保持孔を備えていることを特徴とするスリットスクリーン型外構用の梱包治具。
【請求項２】
請求項１記載のスリットスクリーン型外構用の梱包治具において、
前記複数の柱材を直線状に並設して保持するための複数の直線配置用の柱材挿通保持孔と、前記複数の柱材を曲線状あるいは屈曲状に並設して保持するための複数の異形配置用の柱材挿通保持孔とを備えているスリットスクリーン型外構用の梱包治具。
【請求項３】
請求項１または請求項２に記載のスリットスクリーン型外構用の梱包治具において、
１本の前記柱材を挿通する前記柱材挿通保持孔が複数設けられているスリットスクリーン型外構用の梱包治具。
【請求項４】
請求項１から請求項３のいずれか一項に記載のスリットスクリーン型外構用の梱包治具において、
角部を所定の角度で切り欠いた形の切欠き部を備えているスリットスクリーン型外構用の梱包治具。
【請求項５】
請求項１から請求項４のいずれか一項に記載のスリットスクリーン型外構用の梱包治具を用いてスリットスクリーン型外構を構築する方法であって、
前記梱包治具の前記柱材挿通保持孔に挿通した保持状態で前記複数の柱材を立設し、前記保持状態を維持しながら前記複数の柱材のそれぞれの下端側を固定し、前記下端側を固定した段階で前記梱包治具を前記複数の柱材から取り外すことを特徴とするスリットスクリーン型外構の施工方法。
【請求項６】
請求項５記載のスリットスクリーン型外構の施工方法において、
前記梱包治具は、前記複数の柱材を直線状に並設して保持するための複数の直線配置用の柱材挿通保持孔と、前記複数の柱材を曲線状あるいは屈曲状に並設して保持するための複数の異形配置用の柱材挿通保持孔とを備え、
前記梱包治具の前記直線配置用の柱材挿通保持孔に挿通した直線保持状態で搬送された前記複数の柱材から前記梱包治具を取り外し、
前記複数の柱材を立設しつつ前記複数の異形配置用の柱材挿通保持孔に前記複数の柱材を挿通して保持し、
該保持状態を維持しながら前記複数の柱材のそれぞれ下端側を固定し、
前記下端側を固定した段階で前記梱包治具を前記複数の柱材から取り外すことにより、曲線状あるいは屈曲状のスリットスクリーン型外構を構築するスリットスクリーン型外構の施工方法。
【請求項７】
請求項５または請求項６に記載のスリットスクリーン型外構の施工方法において、
前記複数の柱材からなる外構ユニットを複数並設してスリットスクリーン型外構を構築する場合に、隣り合う一方の外構ユニットと他方の外構ユニットの前記柱材を１つの前記梱包治具の前記柱材挿通保持孔に挿通し、前記１つの梱包治具で隣り合う一方の外構ユニットと他方の外構ユニットを位置決め保持するスリットスクリーン型外構の施工方法。
【請求項８】
請求項１から請求項４のいずれか一項に記載のスリットスクリーン型外構用の梱包治具を用いて構築したことを特徴とするスリットスクリーン型外構。
【請求項９】
請求項８記載のスリットスクリーン型外構において、
横方向に弾性変形可能な連結保持部材が前記複数の柱材のそれぞれの下端側に固着して連設されているスリットスクリーン型外構。
【発明の詳細な説明】
【技術分野】
【０００１】
本発明は、間隔をあけて複数の柱を立設してなるスリットスクリーン型外構用の梱包治具、及びスリットスクリーン型外構の施工方法並びにスリットスクリーン型外構に関する。
【背景技術】
【０００２】
従来、塀や垣根等の外構には、複数のブロック材をモルタルなどで接合させつつ積み重ねて構築したものがある。一方、この種の湿式の外構（壁構造体）は、モルタルを塗布しながらブロック材を積み重ねる作業などによって、また、モルタルが硬化するまでに時間を要することによって、工期が長期化するという欠点がある。
【０００３】
これに対し、所定間隔をあけて立設される複数の支柱と、隣り合う支柱に架設される上枠材及び下枠材と、支柱、上枠材、下枠材で囲まれた領域に設けられるとともに上下左右に並設される複数のブロック材とを備えて構成した乾式の外構（壁構造体）が提案、実用化されている。
【０００４】
さらに、乾式の外構には、複数の柱を所定の間隔をあけて立設して構成したものもある（例えば、特許文献１参照）。このスリットスクリーン型外構（柵状の外構、柵状の壁構造体）は、例えば意匠性の向上を図るために設置され、あるいは日よけや目隠しなどとして設置される。
【０００５】
また、この種のスリットスクリーン型外構は、例えば、柱材が所定間隔で平行に並設される金属製の複数の柱材本体と、これら柱材本体に外挿される筒状の化粧材とを備え、複数の柱材本体と、これら柱材本体の下端が固定された基板と、複数の柱材本体の下端から所定長さだけ上方に位置する部位に水平方向から係合された補強材とによって柵状の骨組が構成されている。そして、このスリットスクリーン型外構は、補強材を含む柵状の骨組の下端を地中に埋設し、化粧材を補強材より上方の柱材本体に外挿固定して構築される。
【０００６】
また、複数の柱材をそれぞれ個別に、一方の側から下端を固定しながら間隔をあけて順に立設してスリットスクリーン型外構を構築する場合もある。
【先行技術文献】
【特許文献】
【０００７】
【特許文献１】特開２０１０−５９６６９号公報
【発明の概要】
【発明が解決しようとする課題】
【０００８】
しかしながら、上記従来のスリットスクリーン型外構においては、柱材を柱材本体と化粧材の２部材で構成することにより、部材点数、施工工数が多くなり、施工性があるいという問題がある。また、化粧材を外挿するため、上部にスペースが必要になってしまい、施工場所によって適用に制限が生じるという問題もある。
【０００９】
また、複数の柱材を曲線状に配置してさらに意匠性の向上を図るようにした場合に、複数の柱材本体、基板、補強材からなる柵状の骨組みの製造に多大な手間、労力がかかる。
【００１０】
本発明は、上記事情に鑑み、施工性を大幅に向上させることを可能にするスリットスクリーン型外構用の梱包治具、及びスリットスクリーン型外構の施工方法並びにスリットスクリーン型外構を提供することを目的とする。
【課題を解決するための手段】
【００１１】
上記の目的を達するために、この発明は以下の手段を提供している。
【００１２】
本発明のスリットスクリーン型外構用の梱包治具は、下端を固定し、横方向に所定の間隔をあけて複数の柱材を立設してなるスリットスクリーン型外構用の梱包治具であって、前記所定の間隔をあけて貫通形成され、前記複数の柱材を挿通して保持するための複数の柱材挿通保持孔を備えていることを特徴とする。
【００１３】
この発明においては、スリットスクリーン型外構の複数の柱材をそれぞれ柱材挿通保持孔に挿通することにより所定の間隔をあけた状態で保持することできる。
【００１４】
そして、この保持状態で現場に搬送された複数の柱材を立設し、保持状態を維持しながら複数の柱材をまとめて立設して下端側を固定し、下端側を固定した段階で梱包治具を複数の柱材から取り外す。これにより、梱包治具を施工に利用し、複数の柱材を精度よく且つ効率的（容易）に立設してスリットスクリーン型外構を構築することが可能になる。
【００１５】
また、本発明のスリットスクリーン型外構用の梱包治具においては、前記複数の柱材を直線状に並設して保持するための複数の直線配置用の柱材挿通保持孔と、前記複数の柱材を曲線状あるいは屈曲状に並設して保持するための複数の異形配置用の柱材挿通保持孔とを備えていることが望ましい。
【００１６】
この発明においては、直線配置用の柱材挿通保持孔に柱材を挿通することにより、所定の間隔をあけた状態で複数の柱材を直線状に保持することでき、この保持状態で複数の柱材を梱包（保護）して現場に搬送することができる。
【００１７】
そして、このように直線配置用の柱材挿通保持孔に柱材を挿通し、直線状に配置された複数の柱材の保持状態を維持しながら複数の柱材をまとめて立設して下端側を固定し、下端側を固定した段階で梱包治具を複数の柱材から取り外すことにより、梱包治具を施工に利用し、複数の柱材を精度よく且つ効率的に立設して直線状のスリットスクリーン型外構を構築することが可能になる。
【００１８】
一方、直線配置用の柱材挿通保持孔に柱材を挿通し直線状に複数の柱材を保持した状態で現場に搬送した後、複数の柱材から梱包治具を取り外し、複数の柱材を立設しつつ複数の異形配置用の柱材挿通保持孔に複数の柱材を挿通して保持することにより、複数の柱材を複数の異形配置用の柱材挿通保持孔の配置に応じた所望の曲率半径の曲線状や山形などの屈曲状に精度よく並設することができる。これにより、梱包治具を施工に利用し、複数の柱材を精度よく且つ効率的に立設して曲線状あるいは屈曲状のスリットスクリーン型外構を構築することが可能になる。
【００１９】
さらに、本発明のスリットスクリーン型外構用の梱包治具においては、１本の前記柱材を挿通する前記柱材挿通保持孔が複数設けられていることがより望ましい。
【００２０】
この発明においては、１本の柱材を複数の柱材挿通保持孔に挿通することで柱材をしっかりと保持することができる。これにより、梱包時及び施工時に複数の柱材を所定の間隔をあけて精度よく保持することができる。
【００２１】
また、本発明のスリットスクリーン型外構用の梱包治具においては、角部を所定の角度で切り欠いた形の切欠き部を備えていることがさらに望ましい。
【００２２】
この発明においては、複数の柱材からなる外構ユニットを複数並設して曲線状あるいは屈曲状のスリットスクリーン型外構を構築する場合に、隣り合う一方の外構ユニットに取り付けられた一方の梱包治具と他方の外構ユニットに取り付けられた他方の梱包治具の切欠き部同士を突き合わせることにより、隣り合う一方の外構ユニットと他方の外構ユニットを精度よく且つ容易で効率的に位置決めすることができる。これにより、施工性の向上を図ることが可能になる。
【００２３】
本発明のスリットスクリーン型外構の施工方法は、上記のいずれかのスリットスクリーン型外構用の梱包治具を用いてスリットスクリーン型外構を構築する方法であって、前記梱包治具の前記柱材挿通保持孔に挿通した保持状態で前記複数の柱材を立設し、前記保持状態を維持しながら前記複数の柱材のそれぞれの下端側を固定し、前記下端側を固定した段階で前記梱包治具を前記複数の柱材から取り外すことを特徴とする。
【００２４】
この発明においては、梱包治具で保持した状態で現場に搬送された複数の柱材を立設し、保持状態を維持しながら複数の柱材をまとめて立設して下端側を固定し、下端側を固定した段階で梱包治具を複数の柱材から取り外すことにより、梱包治具を施工に利用し、複数の柱材を精度よく且つ効率的（容易）に立設してスリットスクリーン型外構を構築することが可能になる。
【００２５】
また、本発明のスリットスクリーン型外構の施工方法においては、前記梱包治具は、前記複数の柱材を直線状に並設して保持するための複数の直線配置用の柱材挿通保持孔と、前記複数の柱材を曲線状あるいは屈曲状に並設して保持するための複数の異形配置用の柱材挿通保持孔とを備え、前記梱包治具の前記直線配置用の柱材挿通保持孔に挿通した直線保持状態で搬送された前記複数の柱材から前記梱包治具を取り外し、前記複数の柱材を立設しつつ前記複数の異形配置用の柱材挿通保持孔に前記複数の柱材を挿通して保持し、該保持状態を維持しながら前記複数の柱材のそれぞれ下端側を固定し、前記下端側を固定した段階で前記梱包治具を前記複数の柱材から取り外すことにより、曲線状あるいは屈曲状のスリットスクリーン型外構を構築することが望ましい。
【００２６】
この発明においては、直線配置用の柱材挿通保持孔に柱材を挿通し直線状に複数の柱材を保持した状態で現場に搬送した後、複数の柱材から梱包治具を取り外し、複数の柱材を立設しつつ複数の異形配置用の柱材挿通保持孔に複数の柱材を挿通して保持することにより、複数の柱材を複数の異形配置用の柱材挿通保持孔の配置に応じた所望の曲率半径の曲線状や山形などの屈曲状に精度よく並設することができる。これにより、梱包治具を施工に利用し、複数の柱材を精度よく且つ効率的に立設して曲線状あるいは屈曲状のスリットスクリーン型外構を構築することが可能になる。
【００２７】
さらに、本発明のスリットスクリーン型外構の施工方法においては、前記複数の柱材からなる外構ユニットを複数並設してスリットスクリーン型外構を構築する場合に、隣り合う一方の外構ユニットと他方の外構ユニットの前記柱材を１つの前記梱包治具の前記柱材挿通保持孔に挿通し、前記１つの梱包治具で隣り合う一方の外構ユニットと他方の外構ユニットを位置決め保持することがより望ましい。
【００２８】
この発明においては、複数の柱材からなる外構ユニットを複数並設して大きなスリットスクリーン型外構を構築する際に、隣り合う一方の外構ユニットと他方の外構ユニットの柱材を１つの梱包治具の柱材挿通保持孔に挿通することで、この１つの梱包治具によって隣り合う一方の外構ユニットと他方の外構ユニットを精度よく位置決めして保持することが可能になる。これにより、梱包治具を施工に利用し、精度よく且つ効率的（容易）に、複数の外構ユニットを配設して大きなスリットスクリーン型外構を構築することが可能になる。
【００２９】
本発明のスリットスクリーン型外構は、上記のいずれかのスリットスクリーン型外構用の梱包治具を用いて構築したことを特徴とする。
【００３０】
この発明においては、上記のスリットスクリーン型外構用の梱包治具、さらに上記のスリットスクリーン型外構の施工方法の作用効果を奏功してスリットスクリーン型外構を構築することが可能にある。
【００３１】
また、本発明のスリットスクリーン型外構においては、横方向に弾性変形可能な連結保持部材が前記複数の柱材のそれぞれの下端側に固着して連設されていることが望ましい。
【００３２】
この発明においては、複数の柱材の下端側に横方向に弾性変形可能な連結保持部材を固着し、複数の柱材の下端側が連設されていることにより、複数の柱材の下端側を所定の間隔で保持することが可能になるとともに、複数の柱材を容易に直線状、曲線状に配置することが可能になる。これにより、精度よく且つ効率的に直線状や曲線状あるいは屈曲状のスリットスクリーン型外構を構築することが可能になる。
【発明の効果】
【００３３】
本発明のスリットスクリーン型外構用の梱包治具、及びスリットスクリーン型外構の施工方法並びにスリットスクリーン型外構によれば、従来と比較し、施工性を大幅に向上させることが可能になり、且つ梱包治具（梱包材）を施工補助材として兼用でき、コストの削減を図ることも可能になる。
【図面の簡単な説明】
【００３４】
【図１】本発明の一実施形態に係るスリットスクリーン型外構を示す斜視図である。
【図２】本発明の一実施形態に係るスリットスクリーン型外構用の梱包治具を複数の柱材に取り付けた状態を示す斜視図である。
【図３】図２のＸ１−Ｘ１線矢視図である。
【図４】図２のＸ２−Ｘ２線矢視図である。
【図５】本発明の一実施形態に係るスリットスクリーン型外構用の梱包治具の展開図である。
【図６】スリットスクリーン型外構用の梱包治具の展開図である。
【図７】本発明の一実施形態に係るスリットスクリーン型外構用の梱包治具を用いて曲線状のスリットスクリーン型外構を構築する際の状況を示す斜視図である。
【図８】本発明の一実施形態に係るスリットスクリーン型外構用の梱包治具を用いて隣り合う外構ユニットを保持し、大きなスリットスクリーン型外構を構築する際の状況を示す正面図である。
【図９】本発明の一実施形態に係るスリットスクリーン型外構用の梱包治具を用いて隣り合う外構ユニットを位置決めし、大きな曲線状のスリットスクリーン型外構を構築する際の状況を示す正面図である。
【発明を実施するための形態】
【００３５】
以下、図１から図９を参照し、本発明の一実施形態に係るスリットスクリーン型外構用の梱包治具、及びスリットスクリーン型外構の施工方法並びにスリットスクリーン型外構について説明する。
【００３６】
はじめに、本実施形態のスリットスクリーン型外構Ａは、例えば住宅の敷地境界付近に設置して意匠性を向上させたり、日よけや目隠しなどとして設置されるものであり、図１に示すように、方形棒状の複数の柱材１を横方向（外構Ａの幅方向）Ｔ１に所定の間隔をあけて整列配置して立設し柵状に形成されている。また、各柱材１は、例えば地盤Ｇを掘削して形成した掘削溝内に下端１ａを配し、掘削溝内にコンクリートを打設して形成した基礎２に下端１ａ側を固定して立設されている。
【００３７】
また、各柱材１の下端１ａ側の前後方向（外構Ａの厚さ方向／横方向）Ｔ２を向く一側面１ｂに連結保持部材３がビス留めするなどして固着され、この連結保持部材３によって複数の柱材１の下端１ａ側が所定の間隔をあけた状態で一体に連設されている。連結保持部材３は、例えば塩化ビニルなどの樹脂製の板材であり、複数の柱材を円弧状に配設できるように前後方向（横方向）Ｔ２に弾性変形可能に形成されている。
【００３８】
そして、このスリットスクリーン型外構Ａは、複数の柱材１を直線状に並設して形成されている。あるいはスリットスクリーン型外構Ａは、連結保持部材３を弾性変形させて複数の柱材１を曲線状に並設して形成されている（図７参照）。
【００３９】
一方、上記のスリットスクリーン型外構Ａを構築する際には、複数の柱材１を現場に搬入する。このとき、図２から図４に示すように、スリットスクリーン型外構用の梱包治具（専用の梱包治具）Ｂ（Ｂ１〜Ｂ４）を用いて複数の柱材１を梱包する。
【００４０】
具体的に、本実施形態のスリットスクリーン型外構用の梱包治具Ｂは例えば段ボールを用いて形成したものであり、本実施形態では、この梱包治具Ｂとして複数の柱材１を直線状に並設した状態で保持する第１梱包治具Ｂ１及び第２梱包治具Ｂ２と、複数の柱材１の上端１ｃ側に取り付けて複数の柱材１を保持する第３梱包治具Ｂ３と、複数の柱材１の下端１ａ側に取り付けて複数の柱材１を保持する第４梱包治具Ｂ４とが用いられている。
【００４１】
第１梱包治具Ｂ１及び第２梱包治具Ｂ２は、図２から図４、図５に示すように、天板部５と底板部６と一対の側板部７、８を備え、略矩形状の中空箱状に形成されている。また、第１梱包治具Ｂ１及び第２梱包治具Ｂ２は、短手方向の厚さ（内側の厚さ）を柱材１の前後方向Ｔ２の厚さ寸法よりも僅かに大きな寸法にし、長手方向の幅を直線状に配置した複数の柱材１全体の幅寸法よりも大きな所定の寸法にして形成されている。
【００４２】
また、幅方向に延びる上方の天板部５と、下方の底板部６にはそれぞれ、各柱材１の断面積と略同等の開口面積で形成され、直線状に配置した複数の柱材１をそれぞれ挿通して保持するための第１柱材挿通保持孔（直線配置用の柱材挿通保持孔）１０が貫通形成されている。すなわち、第１梱包治具Ｂ１及び第２梱包治具Ｂ２の天板部５と底板部６には、幅方向に所定の間隔をあけて直線状に整列配置した複数の第１柱材挿通保持孔１０が形成され、且つ天板部５と底板部６の上下一対の第１柱材挿通保持孔１０同士が上下方向に重なって同軸上に形成されている。
【００４３】
また、第１梱包治具Ｂ１及び第２梱包治具Ｂ２の天板部５及び底板部６に直交する両側板部７、８にはそれぞれ、各柱材１の断面積と略同等の開口面積で形成され、予め定めた所望の曲率半径の曲線状に配置した複数の柱材１をそれぞれ挿通して保持するための複数の第２柱材挿通保持孔（異形配置用の柱材挿通保持孔）１１が貫通形成されている。
【００４４】
第３梱包治具Ｂ３は、図２から図４、図５に示すように、天板部１２と一対の側板部１３、１４を備え、底面が開口した略矩形状の中空箱状に形成されている。また、第３梱包治具Ｂ３は、互いに短手方向の厚さを柱材１の前後方向Ｔ２の厚さ（内側の厚さ）寸法よりも僅かに大きな寸法にし、長手方向の幅寸法を直線状に配置した複数の柱材１全体の幅寸法よりも僅かに大きな寸法にして形成されている。
【００４５】
第４梱包治具Ｂ４は、底板部１５と一対の側板部１３、１４を備え、上面が開口した略矩形状の中空箱状に形成されている。また、第４梱包治具Ｂ４は、互いに短手方向の厚さを柱材１の前後方向Ｔ２の厚さ（内側の厚さ）寸法よりも僅かに大きな寸法にし、長手方向の幅寸法を直線状に配置した複数の柱材１全体の幅寸法よりも僅かに大きな寸法にして形成されている。
【００４６】
そして、本実施形態では、図２から図４に示すように、各柱材１を天板部５と底板部６の上下一対の第１柱材挿通保持孔１０に挿通し、連結保持部材３で下端１ａ側を繋げた複数の柱材１に第１梱包治具Ｂ１と第２梱包治具Ｂ２を取り付ける。また、本実施形態では、第１梱包治具Ｂ１を柱材１の上端１ｃ側に、第２梱包治具Ｂ２を柱材１の中央部あるいは下端１ａ側に設置する。これにより、第１梱包治具Ｂ１と第２梱包治具Ｂ２によって複数の柱材１が所定の間隔をあけた状態で保持される。
【００４７】
さらに、複数の柱材１の上端１ｃを下面の開口から内部に差し込むようにして、複数の柱材１の上端１ｃに第３梱包治具Ｂ３を取り付ける。また、複数の柱材１の下端１ａを上面の開口から内部に差し込むようにして、複数の柱材１の下端１ａに第４梱包治具Ｂ４を取り付ける。これにより、複数の柱材１の上端１ｃ側と下端１ａ側が第３梱包治具Ｂ３と第４梱包治具Ｂ４で被覆されて保護されるとともに保持される。
【００４８】
そして、本実施形態ではこのように第１梱包治具Ｂ１と第２梱包治具Ｂ２と第３梱包治具Ｂ３と第４梱包治具Ｂ４を取り付けた状態で複数の柱材１（複数の柱材１からなる外構ユニットＡ１）を現場に搬送する。
【００４９】
次に、図１及び図２に示すように、直線状のスリットスクリーン型外構Ａを構築する場合には（本実施形態の直線状のスリットスクリーン型外構Ａの施工方法では）、第１梱包治具Ｂ１と第２梱包治具Ｂ２と第３梱包治具Ｂ３と第４梱包治具Ｂ４を取り付けて保持した状態、すなわち直線保持状態の複数の柱材１を現場に搬入する。
【００５０】
次に、スリットスクリーン型外構Ａを構築する位置の地盤Ｇを掘削し掘削溝を形成する。そして、第４梱包治具Ｂ４を取り外し、掘削溝に下端１ａ側を配置して複数の柱材１を立設し、掘削溝にコンクリートを打設するなどして保持状態を維持しながら複数の柱材１の下端１ａ側を固定する。
【００５１】
このとき、本実施形態では、第１梱包治具Ｂ１及び第２梱包治具Ｂ２の所定の間隔で設けられた第１柱材挿通保持孔１０に各柱材１を挿通し、複数の柱材１が位置決めして保持されている。このため、精度よく且つ効率的に複数の柱材１を立設することができる。
【００５２】
コンクリートが硬化し、複数の柱材１の下端１ａ側が固定された段階で第３梱包治具Ｂ３及び第１梱包治具Ｂ１、第２梱包治具Ｂ２を取り外す。これにより、梱包治具Ｂを利用して精度よくスリットスクリーン型外構Ａが構築される。
【００５３】
一方、曲線状のスリットスクリーン型外構Ａを構築する場合には（本実施形態の曲線状のスリットスクリーン型外構Ａの施工方法では）、図７（図２）に示すように、第１梱包治具Ｂ１と第２梱包治具Ｂ２と第３梱包治具Ｂ３と第４梱包治具Ｂ４を取り付け、直線状に配置して保持した状態の複数の柱材１を現場に搬入する。
【００５４】
次に、スリットスクリーン型外構Ａを構築する位置の地盤Ｇを掘削し掘削溝を形成する。また、連結保持部材３で繋がる複数の柱材１から第１梱包治具Ｂ１、第２梱包治具Ｂ２、第３梱包治具Ｂ３、第４梱包治具Ｂ４を取り外す。そして、連結保持部材３が円弧の内側に配されるようにしつつ連結保持部材３を横方向に弾性変形させて複数の柱材１を曲線状（円弧状）に配置する。
【００５５】
これとともに第１梱包治具Ｂ１と第２梱包治具Ｂ２を複数の柱材１の上端１ｃ側と下端１ａ側にそれぞれ取り付ける。このとき、側板部７、８を上下方向に向け、予め所望の曲率半径をもって曲線状に並設された複数の第２柱材挿通保持孔１１にそれぞれ複数の柱材１を挿通してゆく。これにより、複数の柱材１が第１梱包治具Ｂ１と第２梱包治具Ｂ２によって所望の曲率半径で精度よく曲線状に並設されて保持される。
【００５６】
この状態で、掘削溝に下端１ａ側を配置して複数の柱材１を立設し、掘削溝にコンクリートを打設するなどし、曲線保持状態を維持しながら複数の柱材１のそれぞれの下端１ａ側を固定する。
【００５７】
これにより、第１梱包治具Ｂ１、第２梱包治具Ｂ２を用いて複数の柱材１が曲線状に位置決めして保持されて精度よく複数の柱材１が曲線状に立設され、梱包治具Ｂを利用して精度よく曲線状のスリットスクリーン型外構Ａが構築される。
【００５８】
ここで、図８（図２）に示すように、第１梱包治具Ｂ１、第２梱包治具Ｂ２、第３梱包治具Ｂ３、第４梱包治具Ｂ４を取り付けた複数の柱材１の外構ユニットＡ１を現場で複数接続して大きな外構Ａを構築する場合もある。この場合には、隣り合う一方の外構ユニットＡ１の一部の柱材１の上端１ｃ側と他方の外構ユニットＡ１の一部の柱材１の上端１ｃ側に１つの第３梱包治具Ｂ３（あるいは第１梱包治具Ｂ１または第２梱包治具Ｂ２）を取り付けることで、隣り合う外構ユニットＡ１同士を直線状に配置して保持する。これにより、精度よく外構ユニットＡ１同士が直線状に位置決め配置され、精度よく大きな直線状の外構Ａが構築される。
【００５９】
また、第１梱包治具Ｂ１、第２梱包治具Ｂ２、第３梱包治具Ｂ３、第４梱包治具Ｂ４を取り付けた複数の柱材１の外構ユニットＡ１を現場で複数接続して曲線状の大きな外構Ａを構築する場合には、隣り合う一方の外構ユニットＡ１の一部の柱材１の上端１ｃ側と他方の外構ユニットＡの一部の柱材１の上端１ｃ側に、第２柱材挿通保持孔１１に各柱材１を挿通して１つの第１梱包治具Ｂ１あるいは第２梱包治具Ｂ２（第１梱包治具Ｂ１あるいは第２梱包治具Ｂ２の増設側板部１７の一部Ｂ５：図５参照）を取り付けることで、隣り合う外構ユニットＡ１同士を曲線状に配置して保持する。これにより、精度よく外構ユニットＡ１同士が曲線状に位置決め配置され、精度よく大きな曲線状の外構Ａが構築される。
【００６０】
また、このように複数の外構ユニットＡ１を繋げて大きな外構Ａを構築する際に、隣り合う一方の外構ユニットＡ１と他方の外構ユニットＡ１の対峙する柱材１の下端１ａ側同士の間に各柱材１に接続してスペーサを配設し、このスペーサによって対峙する柱材１同士の間の間隔を規定することが好ましい。
【００６１】
さらに、図２、図３、図５、図７に示すように、外構ユニットＡ１を現場で複数接続して曲線状の大きな外構Ａを構築する場合に、第１梱包治具Ｂ１や第２梱包材Ｂ２の角部を切り欠いた形の切欠き部１６を設けておくことが好ましい。この場合には、一方の外構ユニットＡ１に取り付けた第１梱包治具Ｂ１や第２梱包治具Ｂ２の切欠き部１６と他方の外構ユニットＡ１に取り付けた第１梱包治具Ｂ１や第２梱包治具Ｂ２の切欠き部１６を、隣り合う一方の外構ユニットＡ１と他方の外構ユニットＡ１の所定の相対位置に対応するように所定の角度で形成しておく。
【００６２】
そして、図９に示すように、一方の外構ユニットＡ１に取り付けた第１梱包治具Ｂ１の切欠き部１６と他方の外構ユニットＡ１に取り付けた第１梱包治具Ｂ１の切欠き部１６、や一方の外構ユニットＡ１に取り付けた第２梱包治具Ｂ２の切欠き部１６と他方の外構ユニットＡ１に取り付けた第２梱包治具Ｂ２の切欠き部１６を形成する端縁同士（切欠き部１６を形成する辺同士）を接触させて突き合わせる。これにより、一方の外構ユニットＡ１と他方の外構ユニットＡ１が容易に所定位置に配置して位置決めされる。よって、隣り合う外構ユニットＡ１が精度よく配置されて好適に曲線状の大きな外構Ａが構築される。
【００６３】
なお、本実施形態では、梱包治具Ｂとして、構成が異なる第１梱包治具Ｂ１及び第２梱包治具Ｂ２と、第３梱包治具Ｂ３と、第４梱包治具Ｂ４の３種の梱包治具Ｂを用いるものとしているが、第１梱包治具Ｂ１と第２梱包治具Ｂ２は、１つの第１梱包治具Ｂ１のみを用いるようにしてもよい。また、第３梱包治具Ｂ３や第４梱包治具Ｂ４として第１梱包治具Ｂ１や第２梱包治具Ｂ２を適用することもできることから、これら第３梱包治具Ｂ３や第４梱包治具Ｂ４の替わりに第１梱包治具Ｂ１（第２梱包治具Ｂ２）を適用しても構わない。
【００６４】
さらに、第１梱包治具Ｂ１や第２梱包治具Ｂ２をスリットスクリーン型外構Ａの施工時に補助材として使用する際には、側板部７、８等を分離（切断）して使用するようにしてもよい。
【００６５】
したがって、本実施形態のスリットスクリーン型外構用の梱包治具Ｂ、及びスリットスクリーン型外構Ａの施工方法並びにスリットスクリーン型外構Ａにおいては、スリットスクリーン型外構Ａの複数の柱材１をそれぞれ柱材挿通保持孔１０（１１）に挿通することにより所定の間隔をあけた状態で保持することできる。
【００６６】
そして、この保持状態で現場に搬送された複数の柱材１を立設し、保持状態を維持しながら複数の柱材１をまとめて立設して下端１ａ側を固定し、下端１ａ側を固定した段階で梱包治具Ｂを複数の柱材１から取り外す。これにより、梱包治具Ｂを施工に利用し、複数の柱材１を精度よく且つ効率的（容易）に立設してスリットスクリーン型外構Ａを構築することが可能になる。
【００６７】
また、第１柱材挿通保持孔（直線配置用の柱材挿通保持孔）１０に柱材１を挿通することにより、所定の間隔をあけた状態で複数の柱材１を直線状に保持することでき、この保持状態で複数の柱材１を梱包（保護）して現場に搬送することができる。
【００６８】
そして、このように直線配置用の柱材挿通保持孔１０に柱材１を挿通し、直線状に配置された複数の柱材１の保持状態を維持しながら複数の柱材１をまとめて立設して下端１ａ側を固定し、下端１ａ側を固定した段階で梱包治具Ｂを複数の柱材１から取り外すことにより、梱包治具Ｂを施工に利用し、複数の柱材１を精度よく且つ効率的に立設して直線状のスリットスクリーン型外構Ａを構築することが可能になる。
【００６９】
さらに、直線配置用の柱材挿通保持孔１０に柱材１を挿通し直線状に複数の柱材１を保持した状態で現場に搬送した後、複数の柱材１から梱包治具Ｂを取り外し、複数の柱材１を立設しつつ複数の第２柱材挿通保持孔（異形配置用の柱材挿通保持孔）１１に複数の柱材１を挿通して保持することにより、複数の柱材１を複数の異形配置用の柱材挿通保持孔１１の配置に応じた所望の曲率半径の曲線状に精度よく並設することができる。これにより、梱包治具Ｂを施工に利用し、複数の柱材１を精度よく且つ効率的に立設して曲線状のスリットスクリーン型外構Ａを構築することが可能になる。
【００７０】
さらに、梱包治具Ｂに１本の柱材１を挿通する柱材挿通保持孔１０、１１が複数設けられていることにより、１本の柱材１を複数の柱材挿通保持孔１０、１１に挿通することで柱材１をしっかりと保持することができる。これにより、梱包時及び施工時に複数の柱材１を所定の間隔をあけて精度よく保持することができる。
【００７１】
また、梱包治具Ｂに角部を所定の角度で切り欠いた形の切欠き部１６が設けられていることにより、複数の柱材１からなる外構ユニットＡ１を複数並設して曲線状のスリットスクリーン型外構Ａを構築する場合に、隣り合う一方の外構ユニットＡ１に取り付けられた一方の梱包治具Ｂと他方の外構ユニットＡ１に取り付けられた他方の梱包治具Ｂの切欠き部１６同士を突き合わせることで、隣り合う一方の外構ユニットＡ１と他方の外構ユニットＡ１を精度よく且つ容易で効率的に位置決めすることができる。これにより、施工性の向上を図ることが可能になる。
【００７２】
さらに、複数の柱材１からなる外構ユニットＡ１を複数並設して大きなスリットスクリーン型外構Ａを構築する際に、隣り合う一方の外構ユニットＡ１と他方の外構ユニットＡ１の柱材１を１つの梱包治具Ｂの柱材挿通保持孔１０、１１に挿通することで、この１つの梱包治具Ｂによって隣り合う一方の外構ユニットＡ１と他方の外構ユニットＡ１を精度よく位置決めして保持することが可能になる。これにより、梱包治具Ｂを施工に利用し、精度よく且つ効率的に、複数の外構ユニットＡ１を配設して大きなスリットスクリーン型外構Ａを構築することが可能になる。
【００７３】
また、横方向に弾性変形可能な連結保持部材３が複数の柱材１のそれぞれの下端１ａ側に固着して連設されていることにより、複数の柱材１の下端１ａ側を所定の間隔で保持することが可能になる。さらに、複数の柱材１を容易に直線状、曲線状に配置することが可能になる。これにより、精度よく且つ効率的に直線状や曲線状のスリットスクリーン型外構Ａを構築することが可能になる。
【００７４】
よって、本実施形態のスリットスクリーン型外構用の梱包治具Ｂ、及びスリットスクリーン型外構Ａの施工方法並びにスリットスクリーン型外構Ａによれば、従来と比較し、施工性を大幅に向上させることが可能になり、且つ梱包治具（梱包材）Ｂを施工補助材として兼用でき、コストの削減を図ることも可能になる。
【００７５】
以上、本発明に係るスリットスクリーン型外構用の梱包治具、及びスリットスクリーン型外構の施工方法並びにスリットスクリーン型外構の一実施形態について説明したが、本発明は上記の一実施形態に限定されるものではなく、その趣旨を逸脱しない範囲で適宜変更可能である。
【００７６】
例えば、本実施形態では、第１梱包治具Ｂ１や第２梱包治具Ｂ２の側板部７、８に、所定の１つの曲率半径をもって並設した異形配置用の柱材挿通保持孔１１が設けられているものとしたが、複数の曲率半径に対応した複数種の異形配置用の柱材挿通保持孔１１が設けられていてもよい。この場合には、同一の第１梱包治具Ｂ１や第２梱包治具Ｂ２を用いて曲率半径が異なる複数種のスリットスクリーン型外構Ａを形成することが可能になる。
【００７７】
また、本実施形態では、異形配置用の柱材挿通保持孔１１が曲線状（円弧状）に並設して形成されているものとしたが、例えば山形などの屈曲状に並設されていてもよい。この場合には、ギザギザに複数の柱材１を配設したスリットスクリーン型外構Ａを精度よく且つ効率的に構築することができる。すなわち、梱包治具Ｂにあらゆる任意の配置形状に応じた異形配置用の柱材挿通保持孔１１が形成されていてもよい。
【００７８】
さらに、本実施形態では、第１梱包治具Ｂ１や第２梱包治具Ｂ２が直線配置用の柱材挿通保持孔１０を備えた天板部５と底板部６、異形配置用の柱材挿通保持孔１１を備えた一対の側板部７、８を備えて構成されているものとしたが、天板部５と底板部６をいずれか一方のみとしたり、一対の側板部７、８を一方のみにして梱包治具Ｂを構成してもよい。この場合においても勿論本実施形態と同様の作用効果を得ることができる。
【００７９】
また、本実施形態では、柱材１が矩形棒状に形成され、これに応じて柱材挿通保持孔１０、１１が矩形状に開口形成されているものとしたが、柱材１は丸棒状、多角棒状などであってもよく、特にその断面形状を限定する必要はない。また、これに応じて柱材挿通保持孔１０、１１の形状を本実施形態のように限定する必要もない。
【００８０】
また、本発明にかかる梱包治具Ｂは段ボール以外の材料（材質）で形成されていても勿論構わない。
【符号の説明】
【００８１】
１      柱材
１ａ    下端
１ｂ    一側面
１ｃ    上端
２      基礎
３      連結保持部材
５      天板部
６      底板部
７      側板部
８      側板部
１０    第１柱材挿通保持孔（直線配置用の柱材挿通保持孔）
１１    第２柱材挿通保持孔（異形配置用の柱材挿通保持孔）
１２    天板部
１３    側板部
１４    側板部
１５    底板部
１６    切欠き部
Ａ      スリットスクリーン型外構
Ａ１    外構ユニット
Ｂ      スリットスクリーン型外構用の梱包治具
Ｂ１    第１梱包治具
Ｂ２    第２梱包治具
Ｂ３    第３梱包治具
Ｂ４    第４梱包治具
Ｇ      地盤
Ｔ１    横方向（外構の幅方向）
Ｔ２    前後方向（外構の厚さ方向／横方向）
【図１】
0006359963.tif 000002
【図２】
0006359963.tif 000003
【図３】
0006359963.tif 000004
【図４】
0006359963.tif 000005
【図５】
0006359963.tif 000006
【図６】
0006359963.tif 000007
【図７】
0006359963.tif 000008
【図８】
0006359963.tif 000009
【図９】
0006359963.tif 000010